(57)【特許請求の範囲】
【請求項１】
第一の部材と、
前記第一の部材に移動可能に支持された第二の部材と、
前記第一の部材および前記第二の部材のうち一方に設けられたスライダと、
前記第一の部材および前記第二の部材のうち他方に設けられ、第一の位置から第一の方向にずれるかまたは離れて位置された第一の保持位置と、前記第一の位置と前記第一の位置から前記第一の方向と交差した第二の方向に離れた第二の位置との間で延びたスライド区間と、前記第二の位置から前記第一の方向にずれるかまたは離れて位置された第二の保持位置と、の間で前記スライダを移動可能に支持するガイド部と、
前記第二の部材の一部であり、当該第二の部材の前記第一の部材に対する相対的な位置に応じて弾性変形することにより前記スライダを前記第一の方向に向けて付勢可能な、第一の弾性部と、
を備え、
前記第二の部材は、第一の壁部を有し、
前記第一の部材は前記第一の弾性部と接触する第二の壁部を有し、
前記第一の弾性部は、前記第一の壁部から突出し、突出した先端と前記第一の壁部との間で弾性変形可能であり、
前記スライダは、前記第一の弾性部から離れて位置され、
前記第一の位置、前記第一の保持位置、前記第二の位置、および前記第二の保持位置は、前記第一の壁部と前記第二の壁部との間に位置された、スライド構造。
【請求項２】
前記第一の部材は、前記第二の壁部と間隔をあけて設けられ、前記第一の壁部が露出する開口部が設けられた第三の壁部を有した、請求項１に記載のスライド構造。
【請求項３】
前記第一の壁部から突出し、前記第一の部材と前記第一の方向に面し、前記第一の弾性部の弾性変形量を制限する突出部を有した、請求項１または２に記載のスライド構造。
【請求項４】
前記第二の部材の一部であり、当該第二の部材の前記第一の部材に対する相対的な位置に応じて弾性変形することにより前記第二の部材を前記第一の方向および前記第二の方向と交差した第三の方向に付勢可能な第二の弾性部を備えた、請求項１〜３のうちいずれか一つに記載のスライド構造。
【請求項５】
前記第二の保持位置に位置された前記スライダを前記第一の保持位置側でガイドする前記ガイド部の第一の接触面、または前記第一の接触面と面した前記スライダの第二の接触面は、前記第二の保持位置から前記第二の位置に近付くにつれて前記第一の保持位置から遠ざかる方向に延びた、請求項１〜４のうちいずれか一つに記載のスライド構造。
【請求項６】
筐体と、
電子部品が設けられた回路基板を支持し前記筐体に移動可能に支持された可動部材と、
前記筐体および前記可動部材のうち一方に設けられたスライダと、
前記筐体および前記可動部材のうち他方に設けられ、第一の位置から第一の方向にずれるかまたは離れて位置された第一の保持位置と、前記第一の位置と前記第一の位置から前記第一の方向と交差した第二の方向に離れた第二の位置との間で延びたスライド区間と、前記第二の位置から前記第一の方向にずれるかまたは離れて位置された第二の保持位置と、の間で前記スライダを移動可能に支持するガイド部と、
前記可動部材の一部であり、当該可動部材の前記筐体に対する相対的な位置に応じて弾性変形することにより前記スライダを前記第一の方向に向けて付勢可能な、第一の弾性部と、
を備え、
前記可動部材は、第一の壁部を有し、
前記筐体は前記第一の弾性部と接触する第二の壁部を有し、
前記第一の弾性部は、前記第一の壁部から突出し、突出した先端と前記第一の壁部との間で弾性変形可能であり、
前記スライダは、前記第一の弾性部から離れて位置され、
前記第一の位置、前記第一の保持位置、前記第二の位置、および前記第二の保持位置は、前記第一の壁部と前記第二の壁部との間に位置された、電子機器。
【請求項７】
前記可動部材は、前記回路基板から当該回路基板の面に沿う第三の方向に外れた位置に設けられた弾性変形部と、前記弾性変形部から突出し前記第三の方向と交差した第四の方向に前記回路基板と重なる爪部と、を有し、
前記爪部は、前記第四の方向に前記回路基板から離れるにつれて前記爪部の突出方向の反対方向に向かう傾斜面を有した、請求項６に記載の電子機器。
【請求項８】
前記可動部材は、前記第一の壁部と前記回路基板の面との間に隙間をあけた状態で前記回路基板を支持する支持部と、を有した、請求項６または７に記載の電子機器。
【発明の詳細な説明】
【技術分野】
【０００１】
実施形態は、スライド構造および電子機器に関する。
【背景技術】
【０００２】
従来、コネクタをスライドして出し入れすることが可能な電子機器が知られている。
【先行技術文献】
【特許文献】
【０００３】
【特許文献１】特開２０１３−２６０４９号公報
【発明の概要】
【発明が解決しようとする課題】
【０００４】
例えば、より部品点数が少ないなど、より不都合の少ない新規な構成のスライド構造あるいは電子機器が得られれば、有益である。
【課題を解決するための手段】
【０００５】
実施形態のスライド構造は、第一の部材と、第二の部材と、スライダと、ガイド部と、第一の弾性部と、を備える。第二の部材は、第一の部材に移動可能に支持される。スライダは、第一の部材および第二の部材のうち一方に設けられる。ガイド部は、第一の部材および第二の部材のうち他方に設けられ、第一の位置から第一の方向にずれるかまたは離れて位置された第一の保持位置と、第一の位置と第一の位置から第一の方向と交差した第二の方向に離れた第二の位置との間で延びたスライド区間と、第二の位置から第一の方向にずれるかまたは離れて位置された第二の保持位置と、の間でスライダを移動可能に支持する。第一の弾性部は、第二の部材の一部であり、当該第二の部材の第一の部材に対する相対的な位置に応じて弾性変形することによりスライダを第一の方向に向けて付勢可能である。第二の部材は、第一の壁部を有する。第一の部材は第一の弾性部と接触する第二の壁部を有する。第一の弾性部は、第一の壁部から突出し、突出した先端と第一の壁部との間で弾性変形可能である。スライダは、第一の弾性部から離れて位置される。第一の位置、第一の保持位置、第二の位置、および第二の保持位置は、第一の壁部と第二の壁部との間に位置される。
【図面の簡単な説明】
【０００６】
【図１】図１は、第１実施形態の電子機器の使用状態における模式的かつ例示的な斜視図である。
【図２】図２は、第１実施形態の電子機器の非使用状態（収納状態）における模式的かつ例示的な斜視図である。
【図３】図３は、第１実施形態の電子機器内に収容された可動アセンブリの模式的かつ例示的な斜視図である。
【図４】図４は、第１実施形態の電子機器内に収容された可動アセンブリに含まれるベース部の模式的かつ例示的な斜視図である。
【図５】図５は、第１実施形態の電子機器内に収容された可動アセンブリに含まれるベース部の模式的かつ例示的な側面図である。
【図６】図６は、図１のVI−VI断面図である。
【図７】図７は、図１のVII−VII断面図であって、スライダが第一の保持位置に位置された状態（収納状態）を示す図である。
【図８】図８は、図１のVII−VII断面図であって、スライダが第一の位置に位置された状態を示す図である。
【図９】図９は、図１のVII−VII断面図であって、スライダが第二の位置に位置された状態を示す図である。
【図１０】図１０は、図１のVII−VII断面図であって、スライダが第二の保持位置に位置された状態（使用状態）を示す図である。
【図１１】図１１は、第２実施形態の電子機器の模式的かつ例示的な断面図であって、スライダが第一の保持位置に位置された状態（収納状態）を示す図である。
【図１２】図１２は、第２実施形態の電子機器の模式的かつ例示的な断面図であって、スライダが第一の位置に位置された状態を示す図である。
【図１３】図１３は、第２実施形態の電子機器の模式的かつ例示的な断面図であって、スライダが第二の位置に位置された状態を示す図である。
【図１４】図１４は、第２実施形態の電子機器の模式的かつ例示的な断面図であって、スライダが第二の保持位置に位置された状態（使用状態）を示す図である。
【図１５】図１５は、第３実施形態の電子機器の模式的かつ例示的な断面図である。
【発明を実施するための形態】
【０００７】
以下、電子機器およびスライド構造の例示的な実施形態が開示される。以下に示される実施形態の構成や制御（技術的特徴）、ならびに当該構成や制御によってもたらされる作用および結果（効果）は、一例である。図中には、説明の便宜上、Ｘ方向、Ｙ方向、およびＺ方向が示されている。Ｘ方向、Ｙ方向、およびＺ方向は、互いに直交している。また、以下では、図中のＸ方向の矢印の反対方向は、Ｘ方向の反対方向と称され、図中のＹ方向の矢印の反対方向は、Ｙ方向の反対方向と称され、図中のＺ方向の矢印の反対方向は、Ｚ方向の反対方向と称される。
【０００８】
また、以下の複数の実施形態には、同様の構成要素が含まれている。以下では、それら同様の構成要素については、共通の符号が付与されるとともに、重複する説明が省略される場合がある。
【０００９】
＜第１実施形態＞
図１は、使用状態でのＵＳＢ（universal  serial  bus）メモリ１の斜視図であり、図２は、非使用状態でのＵＳＢメモリ１の斜視図であり、図３は、ＵＳＢメモリ１の内部に収容された可動アセンブリ３の斜視図である。ＵＳＢメモリ１は、電子機器およびスライド構造の一例である。ＵＳＢメモリ１は、記憶装置や、半導体記憶装置等と称されうる。
【００１０】
図１〜３に示されるように、ＵＳＢメモリ１は、ケース２と、可動アセンブリ３と、を備えている。可動アセンブリ３は、ベース部４００を有する。ベース部４００は、回路基板５を支持している。回路基板５には、電子部品６と、コネクタ７とが固定されている。なお、ケース２およびベース部４００は、Ｘ方向の中心を通りＹ方向およびＺ方向に延びる面について面対称である。ケース２は、筐体および第一の部材の一例である。可動アセンブリ３は、可動部材の一例であり、内部構造と称されうる。ベース部４００は、可動部材および第二の部材の一例である。ベース部４００や、回路基板５、電子部品６、コネクタ７等は、部品と称されうる。コネクタ７は、例えば、タイプＣコネクタ等のＵＳＢコネクタであるが、これには限定されない。
【００１１】
可動アセンブリ３は、ケース２内で移動可能な状態に、ケース２に支持されている。可動アセンブリ３は、コネクタ７がケース２から突出した突出位置（図１）と、コネクタ７がケース２内に収納された収納位置（図２）との間で移動可能である。非使用状態は、収納状態と称されうる。
【００１２】
図１，２に示されるように、ケース２の形は、外観上、扁平な直方体状であり、Ｙ方向に長くかつＺ方向に薄い。ケース２は、六つの四角形状の壁部２ａ〜２ｆを有している。壁部２ａ，２ｂは、互いに平行でありＺ方向に離間している。壁部２ａ，２ｂは、Ｘ方向かつＹ方向に延びた四角形状である。壁部２ｃ，２ｄは、互いに平行でありＸ方向に離間している。壁部２ｃ，２ｄは、Ｙ方向およびＺ方向に延びた四角形状である。壁部２ｅ，２ｆは、互いに平行でありＹ方向に離間している。壁部２ｅ，２ｆは、Ｘ方向およびＺ方向に延びている。ケース２内には、壁部２ａ〜２ｆによって囲まれた空間が設けられている。ケース２は、例えば、合成樹脂材料（プラスチック、エンジニアリングプラスチック）の成型品である。
【００１３】
壁部２ｂには、四角形状の開口部２ｇが設けられている。換言すれば、壁部２ｂは、壁部２ｅから離れるとともに壁部２ｆと接しており、壁部２ｂと壁部２ｅとの間に、開口部２ｇが設けられている。ケース２内の空間は、開口部２ｇを介してＺ方向の反対方向に開放されている。壁部２ｂは、第三の壁部の一例である。
【００１４】
壁部２ｆには、長穴状の開口部２ｈが設けられている。ケース２内の空間は、開口部２ｈを介してＹ方向に開放されている。図１に示されるように、コネクタ７は、開口部２ｈを介して突出することができる。
【００１５】
図４は、ベース部４００の斜視図である。図５は、ベース部４００の側面図である。ベース部４００は、底壁部４１０、側壁部４２、端壁部４３、突壁部４４０、および弾性部４５０を有する。ベース部４００は、例えば、合成樹脂材料（プラスチック、エンジニアリングプラスチック）の成型品である。すなわち、底壁部４１０、側壁部４２、端壁部４３、突壁部４４０、および弾性部４５０は、一体であり、一つの樹脂成型品としてのベース部４００の一部である。
【００１６】
底壁部４１０は、Ｘ方向およびＹ方向に延びた四角形の板状に構成されている。底壁部４１０は、Ｘ方向の端部４１０ａ、Ｘ方向の反対側の端部４１０ｂ、Ｙ方向の端部４１０ｃ、およびＹ方向の反対方向の端部４１０ｄを有している。端部４１０ａ，４１０ｂは、辺部とも称され、Ｙ方向に沿って延びている。端部４１０ｃ，４１０ｄは、辺部とも称され、Ｘ方向に沿って延びている。底壁部４１０は、第一の壁部の一例である。
【００１７】
底壁部４１０は、階段状に構成されている。底壁部４１０は、第一部分４１１と第二部分４１２とを有する。第二部分４１２は、第一部分４１１とＹ方向に接するとともに、Ｚ方向にオフセットしている。第一部分４１１と第二部分４１２との間には、Ｘ方向に延びたステップ部４１３が設けられている。図２の収納状態において、第一部分４１１は、ケース２の開口部２ｇに収容されている。底壁部４１０は、開口部２ｇを塞いでいる。使用状態においては、第一部分４１１の開口部２ｇから露出する底面４１１ａ（面）とケース２の壁部２ｂの面２ｉとは、Ｚ方向にオフセットがほぼ無い状態で、Ｙ方向に連なる。また、使用状態においては、底壁部４１０は、壁部２ｂに沿って延び、第二部分４１２と壁部２ｂとがＺ方向に重なり、第二部分４１２は壁部２ｂに支持される。第一部分４１１は、換言すれば、底壁部４１０からＺ方向の反対方向に突出した突出部である。なお、底壁部４１０は階段状でなくてもよい。
【００１８】
側壁部４２は、底壁部４１０の端部４１０ａ，４１０ｂから、Ｚ方向に突出している。側壁部４２は、Ｚ方向における略一定の高さでＹ方向に沿って延びている。二つの側壁部４２は互いに平行である。端壁部４３は、底壁部４１０の端部４１０ｄから、Ｚ方向に突出している。端壁部４３は、Ｚ方向における略一定の高さでＸ方向に沿って延びている。端壁部４３のＺ方向の端部４３ａは、Ｘ方向に沿って延びている。
【００１９】
突壁部４４０は、第一突壁部４４１、第二突壁部４４２、第三突壁部４４３、および第四突壁部４４４を含む。突壁部４４０は、壁部や支持部と称されうる。
【００２０】
第一突壁部４４１および第二突壁部４４２は、二つの側壁部４２のそれぞれからＺ方向に突出している。第一突壁部４４１は、底壁部４１０のＹ方向の中央部分からＹ方向に離れた位置に設けられ、第二突壁部４４２は、当該中央部分からＹ方向の反対方向に離れた位置に設けられている。すなわち、側壁部４２のＹ方向に離れた二箇所から、第一突壁部４４１および第二突壁部４４２が突出している。第一突壁部４４１は、Ｙ方向かつＺ方向に延びている。二つの第一突壁部４４１は、Ｘ方向に離間するとともにＸ方向に並び、互いに平行である。第二突壁部４４２は、Ｙ方向かつＺ方向に延びている。二つの第二突壁部４４２は、Ｘ方向に離間するとともにＸ方向に並び、互いに平行である。第一突壁部４４１のＺ方向の端部４４１ａおよび第二突壁部４４２のＺ方向の端部４４２ａは、Ｙ方向に沿って延びている。
【００２１】
第三突壁部４４３は、二つの第二突壁部４４２の間に位置されている。第三突壁部４４３は、Ｘ方向かつＺ方向に延びている。なお、第一突壁部４４１は、底壁部４１０のステップ部４１３をＹ方向に跨ぐように第一部分４１１と第二部分４１２とに渡って設けられている。すなわち、第一突壁部４４１は、ステップ部４１３において底壁部４１０を補強している。
【００２２】
第四突壁部４４４は、第二部分４１２から突出し、Ｙ方向およびＺ方向に延びている。二つの第四突壁部４４４は、Ｘ方向に離間するとともにＸ方向に並び、互いに平行である。第四突壁部４４４のうちの一つは、底壁部４１０の端部４１０ｂよりも端部４１０ａに近い位置に設けられ、他の一つは、底壁部４１０の端部４１０ａよりも端部４１０ｂに近い位置に設けられている。
【００２３】
弾性部４５０は、弾性部４５１，４５２，４５３を含む。弾性部４５１は、底壁部４１０の第二部分４１２に設けられ、Ｙ方向に第一突壁部４４１と接している。二つの弾性部４５１は、Ｘ方向に離間するとともにＸ方向に並んでいる。弾性部４５１は、縦壁部４５１ａ、アーム部４５１ｂ、および接触部４５１ｃを有する。縦壁部４５１ａは、第一突壁部４４１と一体的に設けられており、Ｘ方向における一定幅でＺ方向に帯状に延びている。アーム部４５１ｂは、縦壁部４５１ａの先端部からＸ方向における一定幅でＹ方向に帯状に延びている。縦壁部４５１ａとアーム部４５１ｂとは湾曲部を介して接続されている。接触部４５１ｃは、アーム部４５１ｂの先端部からＺ方向に逆Ｔ字状に突出している。アーム部４５１ｂの先端部および接触部４５１ｃは、第四突壁部４４４に対してＸ方向またはＸ方向の反対方向に隙間をあけて隣接している。すなわち、Ｚ方向から見て、端部４１０ｂよりも端部４１０ａの近くに位置されたアーム部４５１ｂは、端部４１０ｂよりも端部４１０ａの近くに位置された第四突壁部４４４よりも、端部４１０ａの近くに位置されている。また、端部４１０ａよりも端部４１０ｂの近くに位置されたアーム部４５１ｂは、端部４１０ａよりも端部４１０ｂの近くに位置された第四突壁部４４４よりも、端部４１０ｂの近くに位置されている。接触部４５１ｃの先端部の形は、例えば、周縁部が丸められた円柱状である。接触部４５１ｃは逆Ｔ字状に構成され、アーム部４５１ｂよりも細いため、ケース２の壁部２ａとの摺動抵抗がより小さくなりやすい。弾性部４５１は、第一の弾性部の一例である。アーム部４５１ｂは、延部の一例である。
【００２４】
弾性部４５２は、底壁部４１０の第一部分４１１に設けられ、端壁部４３と第三突壁部４４３との間に位置されている。二つの弾性部４５２は、Ｘ方向に離間するとともにＸ方向に並んでいる。弾性部４５２は、縦壁部４５２ａ、アーム部４５２ｂ、および接触部４５２ｃを有する。縦壁部４５２ａは、第一部分４１１のＸ方向の略中央部からＹ方向における一定幅でＺ方向に帯状に延びている。アーム部４５２ｂは、縦壁部４５２ａの先端部からＹ方向における一定幅でＸ方向に沿って帯状に延びている。二つの弾性部４５２のアーム部４５２ｂは、互いに離れる方向に延びている。縦壁部４５２ａとアーム部４５２ｂとは湾曲部を介して接続されている。接触部４５２ｃは、アーム部４５２ｂの先端部からＺ方向に逆Ｔ字状に突出している。接触部４５２ｃの先端部の形は、例えば、周縁部が丸められた円柱状である。接触部４５２ｃは逆Ｔ字状に構成され、アーム部４５２ｂよりも細いため、ケース２の壁部２ａとの摺動抵抗がより小さくなりやすい。なお、弾性部４５２は、二つの縦壁部４５２ａを有し、アーム部４５２ａは、二つの縦壁部４５２ａのそれぞれから延びてもよい。弾性部４５２は、第一の弾性部の一例である。アーム部４５２ｂは、延部の一例である。
【００２５】
弾性部４５１，４５２の接触部４５１ｃ，４５２ｃは、可動アセンブリ３がケース２内に収容された状態で、ケース２の壁部２ａの内面と接触することができる。弾性部４５１，４５２のアーム部４５１ｂ，４５２ｂは、Ｚ方向と交差した方向に帯状に延びているため、ベース部４００における接触部４５１ｃ，４５２ｃのＺ方向の変位に応じて弾性的に変形しやすい。よって、弾性部４５１，４５２は、板ばねとして機能することができ、ベース部４００のケース２に対する相対的なＺ方向の変位に応じたアーム部４５１ｂ，４５２ｂの弾性変形、言い換えるとベース部４００における接触部４５１ｃ，４５２ｃのＺ方向の変位に応じたアーム部４５１ｂ，４５２ｂの弾性変形に基づいて、ケース２の壁部２ａにＺ方向に弾性的な反発力を与えるとともに、ベース部４００をＺ方向の反対方向に付勢することができる。また、弾性部４５１，４５２は、アーム部４５１ｂ，４５２ｂ（および縦壁部４５１ａ，４５２ａ）を含み、底壁部４１０からの長さを比較的長くすることができるため、弾性部４５１，４５２の弾性変形に伴う応力がより小さくなりやすい。
【００２６】
底壁部４１０とアーム部４５１ｂ，４５２ｂとの間には、底壁部４１０からＺ方向に突出した縦壁部４５１ａ，４５２ａが介在している。このような構成により、アーム部４５１ｂ，４５２ｂは、ケース２の壁部２ｂよりも壁部２ａに近い位置で、壁部２ａの内面に沿って延びることができる。すなわち、図５を参照すれば明らかとなるように、アーム部４５１ｂ，４５２ｂは、可動アセンブリ３およびベース部４００におけるＺ方向の端部側に位置されている。よって、可動アセンブリ３およびベース部４００において、アーム部４５１ｂ，４５２ｂと当該アーム部４５１ｂ，４５２ｂに対するＺ方向の反対側の端部（例えば底壁部４１０）との距離を、より大きくすることができる。また、二つのアーム部４５１ｂは、Ｚ方向から見て可動アセンブリ３およびベース部４００におけるＸ方向の端部およびＸ方向の反対方向の端部に位置されている。よって、可動アセンブリ３およびベース部４００において、アーム部４５１ｂと当該アーム部４５１ｂに対するＸ方向の反対側の端部（例えば他のアーム部４５１ｂ）との距離を、より大きくすることができる。また、二つのアーム部４５２ｂは、Ｚ方向から見て可動アセンブリ３およびベース部４００におけるＹ方向の反対方向の端部に位置されている。よって、可動アセンブリ３およびベース部４００において、アーム部４５２ｂと当該アーム部４５２ｂに対するＹ方向の反対側の端部（例えば底壁部４１０の端部４１０ｄ）との距離を、より大きくすることができる。したがって、アーム部４５１ｂ，４５２ｂとその反対側の端部との間における、回路基板５や電子部品６の部品のサイズやレイアウトの自由度が、増えやすい。壁部２ａは、第二の壁部の一例である。
【００２７】
また、接触部４５１ｃ，４５２ｃは、Ｚ方向から見て、可動アセンブリ３およびベース部４００における、Ｘ方向の端部、Ｘ方向の反対方向の端部、Ｙ方向の端部、またはＹ方向の反対方向の端部、または、角部に位置されている。よって、接触部４５１ｃ，４５２ｃが端部から離れた位置にある場合に比べて、可動アセンブリ３の姿勢がより安定化しやすい。
【００２８】
第二突壁部４４２には、開口部４４２ｂが設けられている。弾性部４５３は、開口部４４２ｂの一端部から他端部に向けて突出した状態に設けられている。弾性部４５３は、アーム部４５３ａおよび接触部４５３ｂを有する。アーム部４５３ａは、開口部４４２ｂのＹ方向の端部からＺ方向における一定幅でＹ方向の反対方向に帯状に延びている。接触部４５３ｂは、アーム部４５３ａの先端部から、Ｘ方向に沿って底壁部４１０のＸ方向における中央部から離れる方向に、突出している。二つの弾性部４５３の接触部４５３ｂは、互いに離れる方向に突出している。接触部４５３ｂの先端部の形は、例えば円柱状である。
【００２９】
弾性部４５３の接触部４５３ｂは、可動アセンブリ３がケース２内に収容された状態で、ケース２の壁部２ｃ，２ｄの内面と接触することができる（図１，２参照）。アーム部４５３ａは、Ｘ方向と交差した方向に帯状に延びているため、ベース部４００における接触部４５３ｂのＸ方向の変位に応じて弾性的に変形しやすい。よって、弾性部４５３は、板ばねとして機能することができ、ベース部４００のケース２に対する相対的なＸ方向の変位に応じたアーム部４５１ｂ，４５２ｂの弾性変形、あるいはベース部４００における接触部４５３ｂのＸ方向の変位に応じたアーム部４５３ａの弾性変形に基づいて、ケース２の壁部２ｃ，２ｄにＸ方向またはＸ方向の反対方向に弾性的な反発力を与えるとともに、Ｘ方向の反対方向またはＸ方向にベース部４００を付勢することができる。このような構成により、例えば、可動アセンブリ３がケース２内でＸ方向に移動して音や振動が生じたりするのを抑制できたり、耐衝撃性が高まりやすいといった効果が得られる。弾性部４５３は、第二の弾性部の一例である。
【００３０】
アーム部４５３ａは、ケース２の壁部２ｃ，２ｄの内面に沿ってＸ方向と交差した方向に延びている（図１，２参照）。すなわち、二つのアーム部４５３ａは、Ｚ方向から見て可動アセンブリ３およびベース部４００におけるＸ方向の端部４１０ａ側およびＸ方向の反対方向の端部４１０ｂ側に位置されている。よって、可動アセンブリ３およびベース部４００において、アーム部４５３ａと当該アーム部４５３ａに対するＸ方向の反対側の端部（例えば第二突壁部４４２）との距離を、より大きくすることができる。したがって、アーム部４５３ａとその反対側の端部との間における、回路基板５や電子部品６の部品のサイズやレイアウトの自由度が、増大しやすい。
【００３１】
図４を参照すれば明らかとなるように、第一突壁部４４１の先端部には、Ｘ方向に沿って底壁部４１０のＸ方向における中心から離れる方向に突出した突出部４４１ｂが設けられている。二つの第一突壁部４４１の突出部４４１ｂは、互いに離れる方向に突出している。可動アセンブリ３がケース２内に収容された状態で、突出部４４１ｂは、ケース２の壁部２ｃ，２ｄの内面と接触することができる（図１，２参照）。
【００３２】
図５を参照すれば明らかとなるように、ベース部４００には、底面４１１ａからの接触部４５１ｃ，４５２ｃの先端部までの高さＨ１よりも低い高さＨ２の端部４４１ａ，４４２ａ，４４４ａが設けられている。端部４４１ａ，４４２ａ，４４４ａは、Ｚ方向にケース２の壁部２ａと面している。ベース部４００が、Ｚ方向、すなわちケース２の壁部２ａに近接する方向に移動した場合において、端部４４１ａ，４４２ａ，４４４ａは、ケース２の壁部２ａの内面２ａ１（図８，９参照）と接触する。このような構成により、弾性部４５１，４５２（アーム部４５１ｂ，４５２ｂ）の過度の変形が抑制されている。端部４４１ａを有する第一突壁部４４１、端部４４２ａを有する第二突壁部４４２、および端部４４４ａを有する第四突壁部４４４は、突出部の一例である。第一突壁部４４１、第二突壁部４４２、および第四突壁部４４４は、摺動支持部とも称されうる。
【００３３】
また、図５に示される壁部４３の底面４１１ａからの高さＨ３は、第一突壁部４４１、第二突壁部４４２、および第四突壁部４４４の高さよりも低い。これにより、可動アセンブリ３が開口部２ｇを介してケース２内に挿入される際に壁部４３とケース２とが干渉して可動アセンブリ３がケース２内に入り難くなるのが、抑制されている。
【００３４】
図４に示されるように、ベース部４００には、回路基板５の支持面４００ａおよび爪部４００ｂが設けられている。支持面４００ａは、側壁部４２や第三突壁部４４３に設けられ、Ｚ方向を向いている。爪部４００ｂは、第一突壁部４４１および第三突壁部４４３に設けられている。支持面４００ａと爪部４００ｂとの間のＺ方向の隙間の大きさは、回路基板５の厚さと略同じか、当該厚さよりも僅かに大きい。回路基板５は、支持面４００ａと爪部４００ｂとの間に、回路基板５の厚さ方向に挟まれる。図３に示されるように、第一突壁部４４１は、回路基板５から、Ｘ方向またはＸ方向の反対方向に、回路基板５から外れて位置されている。そして、第一突壁部４４１に設けられた爪部４００ｂは、第一突壁部４４１からＸ方向の反対方向またはＸ方向に、回路基板５のＸ方向の中央部に近付く方向に突出している。第三突壁部４４４は、回路基板５からＹ方向の反対方向に、回路基板５から外れて位置されている。そして、第三突壁部４４３に設けられた爪部４００ｂは、第三突壁部４４３からＹ方向に、回路基板５のＹ方向の中央部に近付く方向に突出している。また、爪部４００ｂは、Ｚ方向に向かうにつれて、すなわち回路基板５の厚さ方向に回路基板５から離れるにつれて、当該爪部４００ｂの突出方向の反対方向に向かう傾斜面４００ｃを有する。このような構成において、傾斜面４００ｃがＺ方向の反対方向に移動する回路基板５に押されると、第一突壁部４４１および第三突壁部４４３は、爪部４００ｂが引っ込む方向、すなわち回路基板５からＺ方向と交差した方向に沿って離れるように、弾性的に変形する。回路基板５がさらにＺ方向の反対方向に移動して爪部４００ｂを乗り越えると、第一突壁部４４１および第三突壁部４４３は、元の形状に戻る。この状態で、回路基板５は、支持面４００ａと爪部４００ｂとの間に挟まれる。すなわち、爪部４００ｂを有する第一突壁部４４１および第三突壁部４４３は、作業者等が回路基板５を押し込み操作によってベース部４００に装着するためのスナップフィット機構として機能する。第一突壁部４４１および第三突壁部４４３は、弾性変形部の一例である。支持面４００ａは、支持部の一例である。Ｘ方向またはＹ方向（若しくはそれらの反対方向）は、第三の方向の一例である。また、Ｘ方向またはＹ方向は、回路基板５の面５ａ（または面５ｂ）に沿う方向の一例である。Ｚ方向は、第四の方向の一例である。Ｚ方向は、回路基板５の厚さ方向の一例である。
【００３５】
上述したように、第一突壁部４４１は、端部４４１ａ、突出部４４１ｂ、および爪部４００ｂを有する。すなわち、第一突壁部４４１は、弾性部４５１，４５２の変形抑制部、ケース２の壁部２ｃ，２ｄとの摺動部、および回路基板５の取付部として機能している。よって、これらの機能がそれぞれ別の部位に設けられた場合に比べて、ベース部４００ひいては可動アセンブリ３をよりコンパクトに構成することができる。
【００３６】
また、上述したように、第二突壁部４４２は、端部４４２ａおよび弾性部４５３を有する。すなわち、第二突壁部４４２は、弾性部４５２および弾性部４５１の変形抑制部、および弾性部４５３の支持部ならびに変形抑制部として機能している。よって、これらの機能がそれぞれ別の部位に設けられた場合に比べて、ベース部４００ひいては可動アセンブリ３をよりコンパクトに構成することができる。
【００３７】
図６は、図１のVI−VI断面図である。図６では、ケース２およびベース部４００の端面のみが示されている。図６に示されるように、ケース２の壁部２ｃ，２ｄの内面からＸ方向またはＸ方向の反対方向に沿って、ケース２のＸ方向における中央部側、すなわちケース２内側に突出した突起２ｊが設けられ、ベース部４００の側壁部４２には、壁部２ｃ，２ｄと面した外面からＸ方向またはＸ方向の反対方向に沿って、ベース部４００のＸ方向の中央部側に凹んだ凹部４６が設けられている。凹部４６には、突起２ｊが収容される。
【００３８】
また、図６に示されるように、突起２ｊは、接触面２ｍと、傾斜面２ｎとを有する。接触面２ｍは、Ｚ方向と交差した平面状であり、凹部４６のＸ方向の壁部４６ｄの側面４６ｅと接触する。傾斜面２ｎは、Ｚ方向における接触面２ｍの反対側で、開口部２ｇから離れるにつれて壁部２ｃ，２ｄから離れるように傾斜している。傾斜面２ｎの形は、円筒面状（曲面状）である。また、凹部４６のＺ方向の側面４６ｅ、すなわち壁部４６ｄのＺ方向の反対方向の側面４６ｅは、当該Ｚ方向と交差した平面状である。壁部４６ｄの、側面４６ｅのＺ方向における反対側には、傾斜面４６ｆが設けられている。傾斜面４６ｆは、底壁部４１０に近付くにつれて当該傾斜面４６ｆが壁部２ｃ，２ｄに近付くように傾斜している。傾斜面４６ｆの形は、円筒面状（曲面状）である。ケース２の開口部２ｇからケース２内に可動アセンブリ３が挿入される際、壁部４６ｄはＺ方向に移動して突起２ｊを乗り越える。この場合に、壁部４６ｄには傾斜面４６ｆが設けられ、突起２ｊには傾斜面２ｎが設けられているため、傾斜面が設けられない場合に比べて、可動アセンブリ３がケース２内により円滑に挿入されうる。
【００３９】
図５に示されるように、凹部４６には、第一溝部４６ａ、第二溝部４６ｂ、および第三溝部４６ｃが設けられている。第一溝部４６ａは、側壁部４２（ベース部４００）のＺ方向の反対方向の端部およびＹ方向の反対方向の端部において、Ｙ方向に沿って延びている。第二溝部４６ｂは、第一溝部４６ａのＹ方向の端部からＺ方向に延びている。第三溝部４６ｃは、第一溝部４６ａのＹ方向の反対方向の端部からＺ方向に延びている。
【００４０】
図７〜１０は、図１のVII−VII断面図であって、ケース２と可動アセンブリ３との相対的な位置が異なっている。図７は、収納状態を示し、図１０は、使用状態を示している。ケース２の突起２ｊは、第一溝部４６ａに沿って、すなわちＹ方向に沿って移動することができる。また、突起２ｊは、第二溝部４６ｂおよび第三溝部４６ｃに沿って、すなわちＺ方向に移動することができる。よって、図８に示される第一溝部４６ａのＹ方向の端部における突起２ｊの位置が第一の位置Ｐ１の一例であり、図９に示される第一溝部４６ａのＹ方向の反対方向の端部における突起２ｊの位置が第二の位置Ｐ２の一例である。また、突起２ｊの第一の位置Ｐ１と第二の位置Ｐ２との間の区間、すなわち、突起２ｊの第一溝部４６ａに沿って移動する区間が、スライド区間ＤＳの一例である。また、図７に示される第二溝部４６ｂ内の第一溝部４６ａから最も離れた突起２ｊの位置が第一の保持位置ＰＬ１の一例であり、図１０に示される第三溝部４６ｃ内の第一溝部４６ａから最も離れた突起２ｊの位置が、第二の保持位置ＰＬ２の一例である。突起２ｊは、凹部４６の側面４６ｅと接しながらスライドすることにより、凹部４６に沿って案内される。図７〜１０から明らかとなるように、可動アセンブリ３がＺ方向に位置するほど、弾性部４５１，４５２はより大きく撓む。突起２ｊは、スライダの一例である。また、側面４６ｅは、突起２ｊを、Ｙ方向に互いに離れた第一の保持位置ＰＬ１とスライド区間ＤＳと第二の保持位置ＰＬ２との間で移動可能に支持するガイド部の一例である。Ｚ方向は、第一の方向の一例であり、Ｙ方向の反対方向は、第二の方向の一例である。
【００４１】
図７の収納状態および図１０の使用状態では、可動アセンブリ３は、ケース２から、弾性部４５１，４５２がケース２の壁部２ａに作用する弾性力の反力を、Ｚ方向の反対方向に受ける。これにより、突起２ｊは、弾性部４５１，４５２によって、凹部４６に対して相対的に、Ｚ方向に付勢される。よって、突起２ｊは、図７，８のように第二溝部４６ｂ内に位置されている状態にあっては、弾性部４５１，４５２の弾性力により、第一の保持位置ＰＬ１に向けて移動し、当該第一の保持位置ＰＬ１で第二溝部４６ｂのＺ方向の側面４６ｅ１と接触した状態で保持される。また、突起２ｊは、図９，１０のように第三溝部４６ｃ内に位置されている状態にあっては、弾性部４５１，４５２の弾性力により、第二の保持位置ＰＬ２に向けて移動し、当該第二の保持位置ＰＬ２で第二溝部４６ｂのＺ方向の側面４６ｅ１と接触した状態で保持される。図７および図１０の状態では、可動アセンブリ３がケース２に対してＹ方向またはＹ方向の反対方向に力を受けた場合にあっても、第二溝部４６ｂまたは第三溝部４６ｃのＹ方向の側面４６ｅと突起２ｊとの接触により、突起２ｊとベース部４００とのＹ方向の相対的な移動が制限され、ひいては可動アセンブリ３とケース２とのＹ方向の相対的な移動も制限される。よって、図７の収納状態および図１０の使用状態は維持される。図７の収納状態および図１０の使用状態で、ケース２の開口部２ｇから露出したベース部４００の底面４１１ａが、操作者の手指等により弾性部４５１，４５２の弾性力に抗ってＺ方向に押された場合、突起２ｊは、第一の保持位置ＰＬ１または第二の保持位置ＰＬ２からスライド区間ＤＳへ移動する。よって、操作者は手指等により底面４１１ａをＺ方向に押し込みながらＹ方向にスライドすることにより、収納状態と使用状態とを切り替えることができる。この際、突起２ｊは、第一の保持位置ＰＬ１と第二の保持位置ＰＬ２との間を、第一の位置Ｐ１、スライド区間ＤＳ、および第二の位置Ｐ２を経由して移動する。第一の保持位置ＰＬ１は、第一の位置Ｐ１からＺ方向に離れるかあるいはＺ方向にずれて位置され、第二の保持位置ＰＬ２は、第二の位置Ｐ２からＺ方向に離れるかあるいはＺ方向にずれて位置されている。
【００４２】
また、突起２ｊの側面２ｋ２および凹部４６の側面４６ｅ２は、第二の保持位置ＰＬ２から第二の位置Ｐ２に近付くにつれて、第一の保持位置ＰＬ１から遠ざかる方向に、Ｚ方向に対して傾斜して延びている。よって、突起２ｊが凹部４６に対して相対的に第一の保持位置ＰＬ１に近付く方向（Ｙ方向）に動こうとする場合に、突起２ｊには凹部４６の側面４６ｅ２から第二の保持位置ＰＬ２に近付く方向（Ｚ方向）に向けて力が作用する。したがって、この場合、突起２ｊが第二の保持位置ＰＬ２から第二の位置Ｐ２に移動する、すなわち、図１０の使用状態が解除されるのが、抑制される。なお、このような向きの傾斜が側面２ｋ２および側面４６ｅ２のうちいずれか一方に設けられた場合にあっても、同様の効果が得られる。また、このような傾斜は、図７の第一の保持位置ＰＬ１に位置された突起２ｊを第二の保持位置ＰＬ２側でガイドする凹部４６の側面４６ｅと、当該側面４６ｅと面する突起２ｊの側面２ｋ１とのうち少なくとも一方に設けられてもよい。すなわち、側面２ｋ１，４６ｅは、第一の保持位置ＰＬ１から第一の位置Ｐ１に近付くにつれて、第二の保持位置ＰＬ２から遠ざかる方向に、Ｚ方向に対して傾斜して延びていてもよい。この場合、突起２ｊが凹部４６に対して相対的に第二の保持位置ＰＬ２に近付く方向（Ｙ方向の反対方向）に動こうとする場合に、突起２ｊには凹部４６の側面４６ｅから第一の保持位置ＰＬ１に近付く方向（Ｚ方向）に向けて力が作用する。したがって、この場合、突起２ｊが第一の保持位置ＰＬ１から第一の位置Ｐ１に移動する、すなわち、図７の収納状態が解除されるのが、抑制される。側面２ｋ２（２ｋ１）は、第一の接触面の一例であり、側面４６ｅ２（４６ｅ）は、第二の接触面の一例である。
【００４３】
また、本実施形態では、図７の収納状態および図１０の使用状態では、ケース２の壁部２ｂとベース部４００の第二部分４１２とが接し、Ｚ方向に重なりあっている。よって、ケース２は、弾性部４５１，４５２によってベース部４００からＺ方向の反対方向に作用する力を、突起２ｊとともに、壁部２ｂによっても受けることができる。したがって、弾性部４５１，４５２による弾性力を突起２ｊのみで受ける構成と比較して、突起２ｊやその周辺部位に生じる応力を小さくすることができ、ひいては、突起２ｊやその周辺部位の信頼性が高まりやすい。
【００４４】
ＵＳＢメモリ１は、電子部品６として、コントローラや、メモリ、バッファ等を有する。メモリは、例えば、ＮＡＮＤメモリ等の、不揮発性の書き換え可能なメモリである。コントローラは、メモリへのデータのライトやメモリからのデータのリードを制御する。バッファは、メモリにライトされるデータや、メモリからリードされるデータを一時的に保持する。コネクタ７は、他の電子機器のコネクタと機械的に接続される。データは、配線や、コネクタ７に設けられた端子、当該端子と電気的に接続された他の電子機器のコネクタの端子、および他の電子機器内の配線を介して、コントローラと他の電子機器のコントローラとの間で伝送される。回路基板５は、Ｚ方向の面５ａと反対側の面５ｂとを有する。回路基板５は、面５ｂと底壁部４１０との間に隙間をあけた状態で、ベース部４００に支持されている。よって、底壁部４１０側の面５ｂにも、電子部品６や部品が実装されうる。一例としては、回路基板５の面５ａにはコネクタ７やコントローラが設けられ、面５ｂにはメモリやバッファが設けられる。底壁部４１０は、壁部の一例である。
【００４５】
また、図７に示されるように、ケース２の開口部２ｈのＺ方向の縁部と壁部２ａの内面との間には、Ｙ方向に開口部２ｈに近付くにつれてＺ方向の反対方向に壁部２ａの内面から開口部２ｈに近付く傾斜面２ｐを有したリブ２ｒが設けられている。傾斜面２ｐは、コネクタ７のガイド面として機能する。傾斜面２ｐにより、例えば、可動アセンブリ３の使用位置への移動時やケース２への装着時等に、コネクタ７が壁部２ｆ（開口部２ｈの周縁部）に引っ掛かるのが抑制される。
【００４６】
以上、説明したように、本実施形態では、凹部４６（ガイド部）に対して相対的に突起２ｊ（スライダ）をＺ方向（第一の方向）に付勢する弾性部４５１，４５２（第一の弾性部）が、ベース部４００（可動部材、第二の部材）の一部である。よって、例えば、バネ等が別個に設けられた構成に比べて、より構成が簡素化されるとともに、部品点数を減らすことができる。よって、例えば、製造の手間やコストが減りやすい。
【００４７】
また、本実施形態では、弾性部４５１，４５２（第一の弾性部）は、底壁部４１０（第一の壁部）から突出し、当該底壁部４１０から離れた位置で、ケース２（第一の部材）と接触している。言い換えると、弾性部４５１，４５２は、その先端と底壁部４１０との間で弾性変形可能に構成されている。よって、例えば、弾性部４５１，４５２をより長く構成することができ、弾性変形に伴う応力がより小さくなりやすい。
【００４８】
また、本実施形態では、弾性部４５１，４５２は、ケース２（筐体）の壁部２ａ（２ｃ，２ｄ，２ｅ）に沿って延びたアーム部４５１ｂ，４５２ｂ（延部）を有した。よって、弾性部４５１，４５２を、壁部２ａと交差するＺ方向に撓む片持ち梁状の板バネとして構成することができる。また、弾性部４５１，４５２がケース２内の中央に位置されたりケース２内で壁部２ａに対して斜めに延びたりするような場合に比べて、弾性部４５１，４５２との干渉を避けながら他の部品が配置されやすい。よって、ケース２内における部品のサイズやレイアウトの自由度が増えやすい。
【００４９】
また、本実施形態では、底壁部４１０には、弾性部４５１，４５２の過度な変形を抑制する第一突壁部４４１、第二突壁部４４２、および第四突壁部４４４（突出部）が設けられている。よって、弾性部４５１，４５２の信頼性が高まりやすい。
【００５０】
また、本実施形態では、弾性部４５３（第二の弾性部）は、ケース２の壁部２ｃ，２ｄにＸ方向またはＸ方向の反対方向（第三の方向）に沿って、ケース２内側から、弾性力を与えている。言い換えると、弾性部４５３は、ケース２に対して相対的にベース部４００を、Ｘ方向またはＸ方向の反対方向に付勢している。よって、例えば、可動アセンブリ３やベース部４００がケース２内でＸ方向に移動するのが抑制され、ひいては、音や振動が生じたりするのが抑制されうる。また、耐衝撃性が高まりやすい。
【００５１】
また、本実施形態では、第二の保持位置ＰＬ２に位置された突起２ｊ（スライダ）を第一の保持位置ＰＬ１側でガイドする凹部４６（ガイド部）の側面４６ｅ２（第一の接触面）、または当該側面４６ｅ２と面した突起２ｊの側面２ｋ２（第二の接触面）は、第二の保持位置ＰＬ２から第二の位置Ｐ２に近付くにつれて第一の保持位置ＰＬ１から遠ざかる方向に延びている。よって、突起２ｊが凹部４６に対して相対的に第一の保持位置ＰＬ１に近付く方向に動こうとする場合に、当該突起２ｊは側面４６ｅ２から第二の保持位置ＰＬ２に近付く方向に力を受けるため、突起２ｊが第二の保持位置ＰＬ２から外れ難い。
【００５２】
＜第２実施形態＞
図１１〜１４は、第２実施形態のＵＳＢメモリ１Ａの断面図であって、図１１は、可動アセンブリ３Ａが収納位置にある状態を示し、図１２は、収納位置におけるケース２による可動アセンブリ３Ａの保持が解除された状態を示し、図１３は、可動アセンブリ３Ａが使用位置に移動する前の状態を示し、図１４は、可動アセンブリ３Ａが使用位置に保持された状態を示す。本実施形態のＵＳＢメモリ１Ａは、上記第１実施形態と同様の構成を備えている。よって、本実施形態によっても、同様の構成に基づく同様の作用および結果（効果）が得られる。
【００５３】
ただし、本実施形態では、可動アセンブリ３Ａをケース２内でＹＺ平面に沿って回転させることにより、突起２ｊを第一の保持位置ＰＬ１から第一の位置Ｐ１へ移動する。可動アセンブリ３ＡのＹ方向の端部には、ベース部４００Ａから突出した固定された接触部４７が設けられている。また、可動アセンブリ３ＡのＹ方向の反対方向の端部に、Ｚ方向に弾性的に撓むことが可能な弾性部４５０が設けられている。Ｙ方向の反対方向の端部では、ケース２とベース部４００Ａとの間には隙間Ｓが設けられている。よって、使用者の手指等により開口部２ｇを通じて可動アセンブリ３ＡがＺ方向に押されると、ケース２とベース部４００Ａとの間の隙間Ｓが狭まり、可動アセンブリ３Ａは、接触部４７を支点として、可動アセンブリ３ＡのＹ方向の反対方向の端部がＺ方向に移動する方向、すなわち、図１１の時計回り方向に回転する。この場合、突起２ｊは、ケース２と可動アセンブリ３Ａとの相対的な回転に応じて、図１１に示される第一の保持位置ＰＬ１から、図１２に示される第一の位置Ｐ１へ移動する。可動アセンブリ３Ａが、Ｚ方向に押されて傾斜した姿勢のまま、Ｙ方向へ移動されると、突起２ｊは、図１３に示される第二の位置Ｐ２へ移動する。この状態で、使用者が可動アセンブリ３ＡのＺ方向への押し込みを解除すると、弾性部４５０の弾性力により、可動アセンブリ３Ａは、接触部４７を支点として、図１３の時計回り方向に回転する。この場合、突起２ｊは、ケース２と可動アセンブリ３Ａとの相対的な回転に応じて、図１３に示される第二の位置Ｐ２から、図１４に示される第二の保持位置ＰＬ２へ移動する。本実施形態によれば、弾性部４５０の数を減らすことができる。よって、製造に要する手間やコストが減りやすい。
【００５４】
＜第３実施形態＞
図１５は、第３実施形態のＵＳＢメモリ１Ｂの断面図である。本実施形態のＵＳＢメモリ１Ｂは、上記第１実施形態および第２実施形態と同様の構成を備えている。よって、本実施形態によっても、同様の構成に基づく同様の作用および結果（効果）が得られる。
【００５５】
ただし、本実施形態では、可動アセンブリ３Ｂは、スペック（形状、大きさ、型式等）が異なる二つのコネクタ７Ａ，７Ｂを有し、可動アセンブリ３Ｂは、コネクタ７Ａが突出した第一の使用位置、コネクタ７Ｂが突出した第二の使用位置、および両方のコネクタ７Ａ，７Ｂが収納された収納位置、の３箇所の間で移動可能に、ケース２Ｂに支持されている。これに伴い、凹部４６Ｂには、スライド区間ＤＳと、三つの保持位置ＰＬ１〜ＰＬ３が設定される。ケース２Ｂに設けられたスライダ２ｊが第一の保持位置ＰＬ１にあるとき、可動アセンブリ３Ｂは、ケース２Ｂに対する収納位置にある。スライダ２ｊが第二の保持位置ＰＬ２にあるとき、可動アセンブリ３Ｂは、コネクタ７Ａが突出した第一の使用位置にある。また、スライダ２ｊが第三の保持位置ＰＬ３にあるとき、可動アセンブリ３Ｂは、コネクタ７Ｂが突出した第二の使用位置にある。本実施形態のＵＳＢメモリ１Ｂによれば、二つのコネクタ７Ａ，７Ｂ、ひいては二種類のコネクタ７Ａ，７Ｂの形式に対応することが可能となる。第三の保持位置ＰＬ３は、第二の保持位置の一例でもある。
【００５６】
以上、本発明の実施形態を例示したが、上記実施形態は一例であって、発明の範囲を限定することは意図していない。実施形態は、その他の様々な形態で実施されることが可能であり、発明の要旨を逸脱しない範囲で、種々の省略、置き換え、組み合わせ、変更を行うことができる。実施形態は、発明の範囲や要旨に含まれるとともに、特許請求の範囲に記載された発明とその均等の範囲に含まれる。また、実施形態の構成や形状は、部分的に入れ替えて実施することも可能である。また、各構成や形状等のスペック（構造や、種類、方向、形状、大きさ、長さ、幅、厚さ、高さ、角度、数、配置、位置、材質等）は、適宜に変更して実施することができる。
【００５７】
例えば、上述した可動アセンブリに設けられたスライド構造は、他の電子機器や、電子機器以外の装置等にも用いることができる。また、コネクタは、コンセントや、ピン等であってもよいし、可動部材は、コネクタのように使用状態で突出する部分を有さなくてもよい。また、弾性部材のスペックも、種々に変更されうる。また、ガイド部が筐体（第一の部材）に設けられ、スライダが可動部材（第二の部材）に設けられてもよい。
【符号の説明】
【００５８】
１，１Ａ，１Ｂ…ＵＳＢメモリ（スライド構造、電子機器）、２…ケース（第一の部材）、２ａ…壁部（第二の壁部）、２ｂ…壁部（第三の壁部）、２ｇ…開口部、２ｊ…突起（スライダ）、２ｋ１，２ｋ２…側面（第二の接触面）、５…回路基板、５ａ，５ｂ…面、６…電子部品、４３…端壁部（突出部）、４６ｅ…側面（ガイド部、第一の接触面）、４００…ベース部（可動部材、第二の部材）、４００ａ…支持面（支持部）、４００ｂ…爪部、４００ｃ…傾斜面、４１０…底壁部（第一の壁部、壁部）、４４１…第一突壁部（突出部、弾性変形部）、４４２…第二突壁部（突出部）、４４３…第三突壁部（弾性変形部）、４５１，４５２…弾性部（第一の弾性部）、４５１ｂ，４５２ｂ…アーム部（延部）、４５３…弾性部（第二の弾性部）、Ｐ１…第一の位置、ＰＬ１…第一の保持位置、Ｐ２…第二の位置、ＤＳ…スライド区間、ＰＬ２…第二の保持位置、ＰＬ３…第三の保持位置（第二の保持位置）。
【図１】
0006437478.tif 000002
【図２】
0006437478.tif 000003
【図３】
0006437478.tif 000004
【図４】
0006437478.tif 000005
【図５】
0006437478.tif 000006
【図６】
0006437478.tif 000007
【図７】
0006437478.tif 000008
【図８】
0006437478.tif 000009
【図９】
0006437478.tif 000010
【図１０】
0006437478.tif 000011
【図１１】
0006437478.tif 000012
【図１２】
0006437478.tif 000013
【図１３】
0006437478.tif 000014
【図１４】
0006437478.tif 000015
【図１５】
0006437478.tif 000016